(57)【要約】【課題】複数の電波が受信できる同調回路を構成するコンデンサの容量値が経年変化などで変化した場合に、それによる電波受信の悪影響をできるだけ軽減できるに、そのコンデンサの劣化を防止できるようにした電波時計の提供。【解決手段】同調回路１は、アンテナ１１と、アンテナ１１と並列接続が可能な第１コンデンサ１２と、アンテナ１１と並列接続が可能な第２コンデンサ１４とを含む。第１コンデンサ１２は、タイムコードで変調された第１周波数の電波を受信する際に、スイッチ１３がオンすることにより、アンテナ１１に並列接続される。一方、第２コンデンサ１４は、タイムコードで変調された第２周波数の電波を受信する際に、スイッチ１５がオンすることにより、アンテナ１１に並列接続される。【選択図】  図１
2007051939.tif 000002
【特許請求の範囲】
【請求項１】
アンテナを含み、そのアンテナで受信した電波から所定の周波数の電波を選択し、その選択に対応する電気信号を出力する同調回路と、前記同調回路から出力される電気信号から時刻を表すタイムコードを抽出して出力する電波受信回路と、を少なくとも備えた電波時計であって、
前記同調回路は、前記アンテナと、前記アンテナと並列接続が可能な第１コンデンサと、前記アンテナと並列接続が可能な第２コンデンサとを含み、
かつ、前記第１コンデンサおよび前記第２コンデンサは、そのうちの何れか一方が前記アンテナに対して選択的に並列接続するようになっていることを特徴とする電波時計。
【請求項２】
前記第１コンデンサは、タイムコードで変調された第１周波数の電波を受信する際に前記アンテナに並列接続し、前記第２コンデンサはタイムコードで変調された第２周波数の電波を受信する際に前記アンテナに並列接続するようにしたことを特徴とする請求項１に記載の電波時計。
【請求項３】
アンテナを含み、そのアンテナで受信した電波から所定の周波数の電波を選択し、その選択に対応する電気信号を出力する同調回路と、前記同調回路から出力される電気信号から時刻を表すタイムコードを抽出して出力する電波受信回路と、を少なくとも備えた電波時計であって、
前記同調回路は、前記アンテナと、前記アンテナと並列接続が可能な第１コンデンサと、前記アンテナと並列接続が可能な第２コンデンサと、前記アンテナと並列接続が可能であって前記第１コンデンサまたは前記第２コンデンサの劣化などに起因して減少した容量値を補償するための第３コンデンサとを備え、
かつ、前記第１コンデンサはタイムコードで変調された第１周波数の電波を受信する際に前記アンテナに並列接続するようにし、前記第２コンデンサはタイムコードで変調された第２周波数の電波を受信する際に前記アンテナに並列接続するようにし、前記第３コンデンサは前記第１周波数または前記第２周波数の電波を受信する際に必要に応じて前記アンテナに並列接続するようにしたことを特徴とする電波時計。
【発明の詳細な説明】
【技術分野】
【０００１】
本発明は、タイムコードで変調された所定の周波数の電波を受信して時刻を表示できるようにした電波時計に関し、特に、複数の周波数の電波を受信できる電波時計に関するものである。
【背景技術】
【０００２】
従来、複数の周波数の電波を受信できる電波時計としては、特許文献１に記載の電波時計が知られている。
この電波時計では、アンテナに並列接続される同調回路を備えている。そして、同調回路は、そのアンテナに並列接続された第１コンデンサと、そのアンテナに並列接続される選択接続用の第２コンデンサと、その第２のコンデンサをアンテナに並列接続するためのスイッチと、を備えている。
【０００３】
このような構成からなる電波時計では、第１周波数の電波を受信する場合にはアンテナに並列接続されている第１コンデンサだけを使用する。そして、第２周波数の電波を受信する場合には、第１コンデンサの使用に加えて、スイッチをオンにして第２コンデンサも使用する。
このように、従来の電波時計では、第１周波数の電波はアンテナにあらかじめ接続される第１コンデンサだけを使用して受信し、第２周波数の電波は第１および第２のコンデンサを組み合わせて受信するようにしている。このため、例えば、第１コンデンサの容量値が経年変化などによって変化した場合には、第１周波数の電波を良好に受信できなくなるだけでなく、第２周波数の電波も良好に受信できなくなる不具合が考えられる。
【０００４】
また、従来の電波時計では、アンテナと第１コンデンサとはあらかじめ並列接続され、並列の共振回路を常時形成している。このため、その共振回路は常に第１周波数の電波に共振状態にあって、その動作を休止することがなく連続的に動作しているので、アンテナや第１コンデンサの劣化を早めるということが考えられる。
【特許文献１】特許第３５７２０３４号公報
【発明の開示】
【発明が解決しようとする課題】
【０００５】
本発明の目的は、上記の点に鑑み、複数の電波が受信できる同調回路を構成するコンデンサの容量値が経年変化などで変化した場合に、それによる電波受信の悪影響をできるだけ軽減できる上に、そのコンデンサの劣化を防止できるようにした電波時計を提供することにある。
【課題を解決するための手段】
【０００６】
上記の課題を解決し本発明の目的を達成するために、各発明は、以下のような構成からなる。
すなわち、第１の発明は、アンテナを含み、そのアンテナで受信した電波から所定の周波数の電波を選択し、その選択に対応する電気信号を出力する同調回路と、前記同調回路から出力される電気信号から時刻を表すタイムコードを抽出して出力する電波受信回路と、を少なくとも備えた電波時計であって、前記同調回路は、前記アンテナと、前記アンテナと並列接続が可能な第１コンデンサと、前記アンテナと並列接続が可能な第２コンデンサとを含み、かつ、前記第１コンデンサおよび前記第２コンデンサは、そのうちの何れか一方が前記アンテナに対して選択的に並列接続するようになっている。
【０００７】
第２の発明は、第１の発明において、前記第１コンデンサは、タイムコードで変調された第１周波数の電波を受信する際に前記アンテナに並列接続し、前記第２コンデンサはタイムコードで変調された第２周波数の電波を受信する際に前記アンテナに並列接続するようにした。
第３の発明は、アンテナを含み、そのアンテナで受信した電波から所定の周波数の電波を選択し、その選択に対応する電気信号を出力する同調回路と、前記同調回路から出力される電気信号から時刻を表すタイムコードを抽出して出力する電波受信回路と、を少なくとも備えた電波時計であって、前記同調回路は、前記アンテナと、前記アンテナと並列接続が可能な第１コンデンサと、前記アンテナと並列接続が可能な第２コンデンサと、前記アンテナと並列接続が可能であって前記第１コンデンサまたは前記第２コンデンサの劣化などに起因して減少した容量値を補償するための第３コンデンサとを備え、かつ、前記第１コンデンサはタイムコードで変調された第１周波数の電波を受信する際に前記アンテナに並列接続するようにし、前記第２コンデンサはタイムコードで変調された第２周波数の電波を受信する際に前記アンテナに並列接続するようにし、前記第３コンデンサは前記第１周波数または前記第２周波数の電波を受信する際に必要に応じて前記アンテナに並列接続するようにした。
【０００８】
このような構成からなる本発明によれば、複数の電波が受信できる同調回路を構成するコンデンサの容量値が経年変化などで変化した場合に、それによる電波受信の悪影響をできるだけ軽減できる上に、そのコンデンサの劣化を防止できる。
【発明を実施するための最良の形態】
【０００９】
以下、本発明の実施形態について、図面を参照して説明する。
（第１実施形態）
本発明の電波時計の第１実施形態の構成について、図１のブロック図を参照して説明する。
この１実施形態に係る電波時計は、図１に示すように、同調回路１と、電波受信回路２と、制御処理部３と、計時回路４と、表示器５と、を備えている。
【００１０】
同調回路１は、コイル状のアンテナ１１を含み、そのアンテナ１１で受信した電波から所定の周波数の電波を選択し、その選択に対応する電気信号を出力する回路であり、制御処理部３からの指示に従って動作するようになっている。
この同調回路１は、図１に示すように、アンテナ１１と、第１コンデンサ１２および第１スイッチ１３とを直列接続させた第１直列回路と、第２コンデンサ１４および第２スイッチ１５とを直列接続させた第２直列回路と、を備えている。そして、アンテナ１１、その第１直列回路、およびその第２直列回路が並列に接続されている。
【００１１】
また、同調回路１の第１スイッチ１３および第２スイッチ１５は、後述のように、所定の周波数の電波を受信する際に、制御処理部３によりそれぞれオンオフ制御されるようになっている。ここで、スイッチ１３、１５は、トランジスタなどの電子スイッチから構成される。
電波受信回路２は、同調回路１から出力される電気信号から時刻を表すタイムコードを抽出して出力する回路である。
【００１２】
この電波受信回路２は、図示しないが、高周波増幅回路、検波回路、およびコンパレータなどから構成され、同調回路１から出力される電気信号が増幅・検波されたのちにコンパレータで２値化されて、タイムコードが生成出力されるようになっている。
制御処理部３は、マイクロプロセッサなどから構成され、所定の手順により各部を制御するとともに、各種の演算処理を行うようになっている。
【００１３】
計時回路４は、水晶発振器（図示せず）からの信号を計数して現在の時刻データ（年、月、日、時、分、秒のデータ）を生成するものである。計時回路４で生成される現在の時刻データは、電波受信回路２で受信されたタイムコードに基づいて制御処理部３で再生された標準時刻データを用いて修正されるようになっている。
表示器５は、計時回路４で生成される時刻データなどを表示するものであり、液晶表示器などからなる。
【００１４】
次に、このような構成からなる第１実施形態の第１の動作例について、図１を参照して説明する。
この第１の動作例では、タイムコードで変調された第１周波数（例えば４０ｋＨｚ）の電波と、タイムコードで変調された第２周波数（例えば６０ｋＨｚ）の電波とを受信する場合について説明する。
【００１５】
まず、第１の周波数の電波を受信する場合には、制御処理部３は同調回路１の第１スイッチ１３だけをオンにさせる。これにより、同調回路１では、アンテナ１１に第１コンデンサ１２のみが並列接続され、第１周波数の電波を受信することが可能となり、受信できる場合には、その第１周波数に応じた電気信号が出力される。
その同調回路１から出力された電気信号から、電波受信回路２はタイムコードを抽出し、その抽出されたタイムコードは制御処理部３に出力される。制御処理部３は、そのタイムコードに基づいて標準時刻データを再生する。
【００１６】
計時回路４で生成される時刻データは、その再生された標準時刻データを使用して制御処理部３で修正される。この修正された時刻データが表示器５に表示される。
次に、第２周波数の電波を受信する場合には、制御処理部３は同調回路１の第２スイッチ１５だけをオンにさせる。これにより、同調回路１では、アンテナ１１に第２コンデンサ１４のみが並列接続され、第２周波数の電波を受信することが可能となり、受信できる場合には、その第２周波数に応じた電気信号が出力される。
【００１７】
この場合に同調回路１から出力される電気信号の以後の処理は、上記の場合と同様であるので、その説明は省略する。
ここで、第１実施形態では、同調回路１は、コンデンサ１２、１４にそれぞれスイッチ１３、１５が直列に接続されているので、上記のように周波数の異なる２つの電波の他に、周波数の異なる３つの電波を受信することができる。
【００１８】
この場合には、その受信する電波の各周波数に応じて、制御処理部３は第１および第２スイッチ１３、１５のオンオフ制御を、例えば以下のように行う。
すなわち、第１周波数の電波を受信する場合には、第１スイッチ１３のみをオンにして、アンテナ１１と第１コンデンサ１２とを並列接続させる。また、第２周波数の電波を受信する場合には、第２スイッチ１５のみをオンにして、アンテナ１１と第２コンデンサ１４とを並列接続させる。さらに、第３周波数の電波を受信する場合には、第１スイッチ１３および第２スイッチ１５の双方をオンにして、アンテナ１１、第１コンデンサ１２、および第２コンデンサ１４を並列接続させる。
【００１９】
以上のように、第１実施形態では、第１周波数の電波はアンテナ１１に第１コンデンサ１２だけを並列接続させて受信し、第２周波数の電波はアンテナ１１に第２コンデンサ１４だけを並列接続させて受信するというように、各周波数の電波を個別のコンデンサを使用して別々に受信するようにした。
このため、例えば、第１コンデンサ１２および第２コンデンサ１４の何れか一方の容量値が経年変化などによって変化して、一方の周波数の電波を良好に受信できなくなるような事態が発生しても、この事態が他方の周波数の電波の良好な受信を妨げるような悪影響を及ぼすことがない。
【００２０】
また、第１実施形態では、共振回路１が、電波の受信時にはじめてアンテナ１に第１コンデンサ１２または第２コンデンサ１４が並列接続されて電波の受信に必要な共振回路を形成して動作状態となり、それ以外のときには共振回路が形成されずに休止状態となる。このため、アンテナとコンデンサの劣化を防止することができると考えられ、それらの長寿命化を図ることができる。
【００２１】
さらに、第１実施形態では、上記のように異なる周波数の３つの電波を受信することが可能であり、その３つの電波を受信する場合には、使用地域の拡大化などを図ることができる。
（第２実施形態）
本発明の電波時計の第２実施形態の構成について、図２のブロック図を参照して説明する。
【００２２】
この２実施形態に係る電波時計は、図２に示すように、同調回路１ａと、電波受信回路２と、制御処理部３ａと、計時回路４と、表示器５と、を備えている。
この第２実施形態は、図１に示す第１実施形態の同調回路１と制御処理部３とを、図２に示す同調回路１ａと制御処理部３ａとに置き換えたものである。この第２実施形態の他の部分の構成は、第１実施形態の構成と同様であるので、同一の構成要素には同一符号を付してその説明は省略する。
【００２３】
同調回路１ａは、図１に示す同調回路１の構成を基本とし、この同調回路１１の構成要素に、第１コンデンサ１２または第２コンデンサ１４の劣化などに起因して減少した容量値ΔＣを補償するための第３コンデンサ１６と、これと直列接続される第３スイッチ１７とを追加し、この直列回路をアンテナ１１に並列に接続するようにした。従って、第３コンデンサ１６の容量値Ｃ３は、第１または第２のコンデンサ１２、１４の各容量値Ｃ１、Ｃ２に比べて相当小さなものとなる。
【００２４】
さらに詳述すると、同調回路１ａは、図２に示すように、アンテナ１１と、第１コンデンサ１２および第１スイッチ１３とを直列接続させた第１直列回路と、第２コンデンサ１４および第２スイッチ１５とを直列接続させた第２直列回路と、第３コンデンサ１６および第３スイッチ１７とを直列接続させた第３直列回路と、を備えている。そして、アンテナ１１、その第１直列回路、その第２直列回路、およびその第３直列回路が並列に接続されている。
【００２５】
制御処理部３ａは、図１に示す制御処理部３とその基本的な動作は同じであるが、電波を受信する際に、同調回路１ａの第１スイッチ１３、第２スイッチ１５、および第３スイッチ１７を、後述のようにそれぞれオンオフ制御する点が異なる。
次に、このような構成からなる第２実施形態の動作例について、図２を参照して説明する。
【００２６】
この動作例では、タイムコードで変調された第１周波数（例えば４０ｋＨｚ）の電波と、タイムコードで変調された第２周波数（例えば６０ｋＨｚ）の電波とを受信する場合について説明する。
まず、第１周波数の電波を受信する場合には、制御処理部３ａは同調回路１ａの第１スイッチ１３だけをオンにさせる。これにより、同調回路１ａでは、アンテナ１１に第１コンデンサ１２のみが並列接続され、第１周波数の電波を受信することが可能となり、受信できる場合には、その第１周波数に応じた電気信号が出力される。
【００２７】
その同調回路１ａから出力された電気信号から、電波受信回路２はタイムコードを抽出し、その抽出されたタイムコードは制御処理部３ａに出力される。制御処理部３ａは、そのタイムコードに基づいて標準時刻データを再生する。
計時回路４で生成される時刻データは、その再生された標準時刻データを使用して制御処理部３ａで修正される。この修正された時刻データが表示器５に表示される。
【００２８】
次に、第２周波数の電波を受信する場合には、制御処理部３ａは同調回路１ａの第２スイッチ１５だけをオンにさせる。これにより、同調回路１ａでは、アンテナ１１に第２コンデンサ１４のみが並列接続され、第２周波数の電波を受信することが可能となり、受信できる場合には、その第２周波数に応じた電気信号が出力される。
この場合に同調回路１ａから出力される電気信号の以後の処理は、上記の場合と同様であるので、その説明は省略する。
【００２９】
ところで、上記のように、第１または第２周波数の電波を受信する場合に、通常であればその電波を良好に受信できる。しかし、例えば、第１コンデンサ１２または第２コンデンサ１４がその劣化などに起因して、その容量値が減少し、第１コンデンサ１２または第２コンデンサ１４だけでは、容量値が不足してその電波を良好に受信できない場合があり得る。このような判定処理は、そのときの受信電波に基づいて制御処理部３ａが行う。
【００３０】
この場合には、制御処理部３ａは、以下のような制御を行う。
すなわち、第１周波数の電波を受信しようとして、第１コンデンサ１２だけを用いてその電波を受信しようとしたが良好に受信できないと判断した場合には、さらにスイッチ１７をオンにするので、第３コンデンサ１７がアンテナ１１に並列接続される。これにより、第１コンデンサ１２の容量値の減少分を第３コンデンサ１７で補償できるので、この補償が有効な場合には第１周波数の電波を良好に受信できる。
【００３１】
一方、第２周波数の電波を受信しようとして、第２コンデンサ１４だけを用いてその電波を受信しようとしたが良好に受信できないと判断した場合には、さらにスイッチ１７をオンにするので、第３コンデンサ１７がアンテナ１１に並列接続される。これにより、第２コンデンサ１４の容量値の減少分を第３コンデンサ１７で補償できるので、この補償が有効な場合には第２周波数の電波を良好に受信できる。
【００３２】
なお、この第２実施形態においても、第１実施形態と同様に、制御処理部３ａでスイッチ１２、１４を制御することにより、周波数の異なる３つの電波を受信するように構成することができる。
以上のように、第２実施形態によれば、第１実施形態と同様の効果を実現することができる。
【００３３】
さらに、第２実施形態では、第１コンデンサ１２または第２コンデンサ１４の劣化などに起因して減少した容量値を補償するための第３コンデンサ１６を設けるようにし、これによりそれを補償するようにした。
このため、第２実施形態によれば、第１コンデンサ１２または第２コンデンサ１４の劣化などに起因してその容量値が減少するような場合であっても、電波を良好に受信することができる。
【図面の簡単な説明】
【００３４】
【図１】本発明の第１実施形態の構成を示すブロック図である。
【図２】本発明の第２実施形態の構成を示すブロック図である。
【符号の説明】
【００３５】
１、１ａ・・・同調回路、２・・・電波受信回路、３、３ａ・・・制御処理部、４・・・計時回路、５・・・表示器、１１・・・アンテナ、１２、１４、１６・・・コンデンサ、１３、１５、１７・・・スイッチ
【図１】
2007051939.tif 000003
【図２】
2007051939.tif 000004